(57)【要約】【課題】ＩＴＵ−Ｔ勧告Ｖ．９０に準拠する通信システムにおいて、デジタル回線網にディジタルＰＡＤが設けられている場合でも正確なデータ伝送が可能になるようにモデム装置を構成する。【解決手段】送信側のディジタルモデム２から通信網を介して受信した調査信号に基づいて通信網内のディジタルＰＡＤ４の減衰量を判定するＤＰＡＤ検出部１１と、復調部１２での復調処理に用いられる星座テーブルの対応レベル値を減衰量に応じて下方修正して修正星座テーブルを得るテーブル作成部１３と、修正星座テーブルに基づいて通信に使用する星座ポイントを選択する星座選択部１４と、星座ポイントの情報を送信側の通信装置に通知する信号を生成する星座通知部１５とを備えたものとする。【選択図】　　図１
2004040533.tif 000002
【特許請求の範囲】
【請求項１】
送信側装置から通信網を介して受信した調査信号に基づいて前記通信網内の減衰処理装置の減衰量を判定する減衰量判定手段と、復調処理に用いられる星座情報のレベル値を前記減衰量に応じて下方修正した修正星座情報を得る星座情報生成手段と、前記修正星座情報に基づいて通信に使用する星座ポイントを選択する星座ポイント選択手段と、前記星座ポイントの情報を前記送信側装置に通知する通知手段とを有することを特徴とするモデム装置。
【請求項２】
前記星座ポイント選択手段は、前記調査信号のＳＮ比に基づいて設定されたレベル間隔にしたがって星座ポイントを選択することを特徴とする請求項１に記載のモデム装置。
【請求項３】
前記星座ポイント選択手段は、前記修正星座情報でのレベル値にしたがって信号パワーに関する制限を満たす星座ポイントを選択することを特徴とする請求項１若しくは請求項２に記載のモデム装置。
【請求項４】
請求項１乃至請求項３のいずれかに記載のモデム装置を備えたことを特徴とする通信装置。
【請求項５】
送信側装置から通信網を介して受信側の通信端末に対して調査信号を送信し、この調査信号に基づいて前記受信側の通信端末において前記通信網内の減衰処理装置の減衰量を判定し、この減衰量に基づいて復調処理に用いられる星座情報のレベル値を下方修正した修正星座情報を生成し、この修正星座情報に基づいて通信に使用する星座ポイントを選択し、この星座ポイントの情報を前記送信側装置に通知することを特徴とする通信方法。
【発明の詳細な説明】
【０００１】
【発明の属する技術分野】
本発明は、ＩＴＵ−Ｔ勧告Ｖ．９０に準拠する通信システムに用いられるモデム装置、及び通信装置、並びに通信方法に関するものである。
【０００２】
【従来の技術】
ＩＴＵ−Ｔ勧告Ｖ．９０では、図７に示すように、ディジタルモデム１０１とアナログモデム１０２との間でデータ通信を行う通信システムが規定されており、ここでは、ＩＳＰ（Ｉｎｔｅｒｎｅｔ　Ｓｅｒｖｉｃｅ　Ｐｒｏｖｉｄｅｒ）などに設けられるディジタルモデム１０１がＩＳＤＮなどのデジタル回線に接続され、ディジタル交換機１０３を介してアナログ回線に接続されたユーザ側のアナログモデム１０２への下り方向で５６ｋｂｐｓの通信速度を実現するものである。
【０００３】
このような通信システムでは、ディジタルモデム１０１とディジタル交換機１０３との間のデジタル伝送路ではμ−則を用いたＰＣＭ（パルス符号変調）方式によるデータ通信が行われ、ディジタル交換機１０３とアナログモデム１０２との間のアナログ伝送路ではＰＡＭ（パルス振幅変調）方式によるデータ通信が行われており、アナログモデム１０２では、図８に示すように、μ−則線形値（レベル値）と、８ｂｉｔのコードに対応するＵ符号（レベル番号）との対応関係を示す特性曲線にしたがって受信信号のレベル値から対応コードを取り出す処理が行われている。
【０００４】
【発明が解決しようとする課題】
ところが、デジタル回線網には、図７に示したように、通話音声を適正化するために減衰処理をディジタル信号に対して行う機能を備えたディジタルＰＡＤ１０４が設けられている場合があり、このような場合には、ディジタルＰＡＤ１０４の減衰処理の影響で図８に示したように特性曲線が変化する（ここでは４ｄＢの減衰）。その結果、本来、別々のコードに割り当てられたレベル値の識別が困難になり、最終的にアナログモデムの復調処理を経て得られるコードが同一化して、正確なデータ伝送ができない不都合が生じる。
【０００５】
本発明は、このような従来技術の問題点を解消するべく案出されたものであり、その主な目的は、ＩＴＵ−Ｔ勧告Ｖ．９０に準拠する通信システムにおいて、デジタル回線網にディジタルＰＡＤが設けられている場合でも正確なデータ伝送が可能になるように構成されたモデム装置、及び通信装置、並びに通信方法を提供することにある。
【０００６】
【課題を解決するための手段】
このような目的を果たすために、本発明においては、モデム装置の構成を、送信側装置から通信網を介して受信した調査信号に基づいて通信網内の減衰処理装置の減衰量を判定する減衰量判定手段と、復調処理に用いられる星座情報のレベル値を減衰量に応じて下方修正した修正星座情報を得る星座情報生成手段と、修正星座情報に基づいて通信に使用する星座ポイントを選択する星座ポイント選択手段と、星座ポイントの情報を送信側装置に通知する通知手段とを有するものとした。これによると、修正星座情報に基づいて設定された星座ポイントを用いて通信を行うことにより、減衰処理の影響で別データが同一化してしまう不都合を避けることができ、正確なデータ伝送が可能になる。
【０００７】
【発明の実施の形態】
本発明の第１の実施の態様に係るモデム装置は、モデム装置の構成を、送信側装置から通信網を介して受信した調査信号に基づいて通信網内の減衰処理装置の減衰量を判定する減衰量判定手段と、復調処理に用いられる星座情報のレベル値を減衰量に応じて下方修正した修正星座情報を得る星座情報生成手段と、修正星座情報に基づいて通信に使用する星座ポイントを選択する星座ポイント選択手段と、星座ポイントの情報を送信側装置に通知する通知手段とを有するものである。これによると、修正星座情報に基づいて設定された星座ポイントを用いて通信を行うことにより、減衰処理の影響で別データが同一化してしまう不都合を避けることができ、正確なデータ伝送が可能になる。
【０００８】
本発明の第２の実施の態様に係るモデム装置は、前記第１の実施の態様に係る構成において、星座ポイント選択手段が、調査信号のＳＮ比に基づいて設定されたレベル間隔にしたがって星座ポイントを選択するものである。これによると、ＳＮ比の低下に伴って別データが同一化してしまう不都合を避けることができ、データ伝送品質を高めることができる。
【０００９】
本発明の第３の実施の態様に係るモデム装置は、前記第１若しくは第２の実施の態様に係る構成において、星座ポイント選択手段が、修正星座情報でのレベル値にしたがって信号パワーに関する制限を満たす星座ポイントを選択するものである。これによると、送信側装置で元の星座情報にしたがって通信を行うことにより、減衰量に相当する分だけ上乗せされたレベルで信号が送出され、他方、受信側のモデム装置では受信レベルの制限を越えることがなく、送信側装置の送信信号パワーをディジタルＰＡＤに相当する分だけ補償することになり、アナログ的なディジタルＰＡＤの影響を除外することができる。
【００１０】
本発明の第４の実施の態様に係る通信装置は、前記第１乃至第３のいずれかに記載のモデム装置を備えたものである。これによると、減衰処理の影響で別データが同一化してしまう不都合を避けることができ、正確なデータ伝送が可能になる。
【００１１】
本発明の第５の実施の態様に係る通信方法は、送信側装置から通信網を介して受信側の通信端末に対して調査信号を送信し、この調査信号に基づいて受信側の通信端末において通信網内の減衰処理装置の減衰量を判定し、この減衰量に基づいて復調処理に用いられる星座情報のレベル値を下方修正した修正星座情報を生成し、この修正星座情報に基づいて通信に使用する星座ポイントを選択し、この星座ポイントの情報を送信側装置に通知するものである。これによると、減衰処理の影響で別データが同一化してしまう不都合を避けることができ、正確なデータ伝送が可能になる。
【００１２】
以下、本発明の実施の形態について、図面を参照して詳細に説明する。
【００１３】
図１は、本発明によるアナログモデムの概略構成を示すブロック図である。このアナログモデム１は、ＩＴＵ−Ｔ勧告Ｖ．９０に準拠してディジタルモデム２との間でデータ通信を行うものであり、ディジタルモデム２とディジタル交換機３との間のデジタル伝送路ではμ−則を用いたＰＣＭ（パルス符号変調）方式によるデータ通信が行われ、ディジタル交換機３とアナログモデム１との間のアナログ伝送路ではＰＡＭ（パルス振幅変調）方式によるデータ通信が行われる。ディジタルモデム２とディジタル交換機３とを結ぶデジタル回線網には、通話音声を適正化するために減衰処理をディジタル信号に対して行う機能を備えたディジタルＰＡＤ（減衰処理装置）４が設けられている。なお、前記のＰＣＭ方式で用いられる変換規則は、主に欧州で使用されているａ−則であっても良く、この場合にはμ−則線形値に代わってａ−則線形値が用いられる。
【００１４】
アナログモデム１は、送信側のディジタルモデム２から通信網を介して受信した調査信号に基づいて通信網内のディジタルＰＡＤ４の有無及びその減衰量を判定するＤＰＡＤ検出部（減衰量判定手段）１１と、復調部１２での復調処理に用いられる星座テーブル（星座情報）のレベル値を減衰量に応じて下方修正した修正星座テーブル（修正星座情報）を得るテーブル作成部（星座情報生成手段）１３と、修正星座テーブルに基づいて通信に使用する星座ポイントを選択する星座選択部（星座ポイント選択手段）１４と、星座ポイントの情報を送信側の通信装置に通知する信号を生成する星座通知部（通知手段）１５とを有しており、使用星座の通知信号が変調部１６を介して回線に送出され、ディジタルモデム２に送られる。
【００１５】
またアナログモデム１は、ディジタルモデム２からの調査信号のＳＮ比を求めるＳＮ測定部１７と、調査信号のＳＮ比に基づいて星座ポイントのレベル間隔（レベル値の差）を決定する間隔決定部１８とを有し、ここで得られたレベル間隔にしたがって星座選択部１４において星座ポイントの選択が行われる。
【００１６】
図２は、図１に示したテーブル作成部での星座テーブルの修正状況を示している。テーブル作成部（星座情報生成手段）では、前記のとおり、元となる星座テーブル（星座情報）のレベル値をディジタルＰＡＤの減衰量に応じて下方修正して修正星座テーブル（修正星座情報）を生成する。星座テーブルは、μ−則線形値（レベル値）と、８ｂｉｔのコードに対応するＵ符号（レベル番号）との対応関係を示し、ディジタルＰＡＤの減衰量（例えば４ｄＢまたは８ｄＢ）に相当するゲインに基づいてＵ符号（レベル番号）ごとのμ−則線形値（レベル値）を求める。
【００１７】
図３は、図１に示した間隔決定部で用いられるＳＮ比とレベル間隔との対応テーブルを示している。間隔決定部では、この対応テーブルに基づいて調査信号のＳＮ比から星座ポイントのレベル間隔を決定する。例えば、ＳＮ比が６０であればレベル間隔は６４となり、ＳＮ比が低下するにしたがってレベル間隔は増大する。
【００１８】
図４は、図１に示した星座選択部での星座ポイント選択の要領を示している。星座選択部（星座ポイント選択手段）では、前記のとおり、修正星座テーブルに基づいて通信に使用する星座ポイントが選択され、このとき星座ポイントが線形値（レベル値）において均一間隔に配置されるように星座ポイントが選択される。星座ポイントのレベル間隔Ｄは、ディジタルモデムからの調査信号のＳＮ比に基づいて決定される。ここでは、レベル間隔Ｄ＝６４とした例を示しており、正負の線形値（レベル値）の領域でも星座ポイントが同一間隔となるように最初に線形値（レベル値）がＤ／２＝３２となる星座ポイント（星座選択開始ポイント）が決定され、以降、直前に選択した星座ポイントに対してレベル間隔Ｄ＝６４を満たす星座ポイントが順次選択される。
【００１９】
図５は、図１に示したアナログモデムでの星座選択の処理手順を示すフロー図である。まずステップ１にて図２に示したようにディジタルＰＡＤに対応した修正星座テーブルが作成され、つづくステップ２にて受信信号のＳ／Ｎから星座ポイントのレベル間隔Ｄが求められる。そしてステップ３にて図４に示したように星座選択開始ポイントが決定され、つづくステップ４にて次の星座ポイントが決定される。この星座ポイントの設定の処理が、ステップ５にて修正星座テーブルの最後に到達したものと判定されるまで繰り返し行われる。これで、使用可能な星座ポイントの選択処理が終了し、次に実際に使用する星座ポイントの選択処理に移行する。
【００２０】
使用星座ポイントの選択では、まずステップ６にて使用可能な星座ポイントの中の最初のもの（レベル値が最小のもの）が使用星座ポイントとして選択（仮決定）され、つづくステップ７にてその星座ポイントのパワーが計算され、さらにステップ８にてパワーの制限を満たしているか否かの判定が行われる。ここでパワー制限を満たしていればステップ６に戻り、次の星座ポイント（次にレベル値が大きなもの）が使用星座ポイントに選択されてステップ７・８の処理が行われる。このようにしてパワー制限を満たさないものと判定されるまでレベル値が小さいものから順に使用星座ポイントに選択され、パワー制限を満たさないものと判定されると、ステップ９に進んで選択星座ポイントの１つ（レベル値が最大のもの）をキャンセルして終了する。
【００２１】
図６は、図１に示したディジタルモデムからアナログモデムに送信される信号の減衰状況を示している。アナログモデム１では、前記のとおり、ディジタルＰＡＤ４に対応して作成された修正星座テーブルに基づいて星座ポイントが選択され、この選択された星座ポイントのＵ符号（レベル番号）がディジタルモデム２に通知される。ディジタルモデム２で、図２に示した元となる星座テーブルを参照して送信データを生成する。これにより、ディジタルモデム２での送信の段階での信号パワーが従来−１２ｄＢｍであったものが−１６ｄＢｍとなり、ディジタルＰＡＤでの４ｄＢの減衰を経て、ディジタル交換機３からアナログモデム１に送信される段階では従来−８ｄＢｍであったものが−１２ｄＢｍとなり、信号パワーがディジタルＰＡＤに相当する分だけ補償されたことになる。アナログモデム１では、図２に示した修正星座テーブル、並びに図４に示した星座特性グラフに示される星座情報を用いて受信信号から正確なコードを取り出すことができる。
【００２２】
なお、図１ではアナログモデムにＰＣ５を接続した例を示したが、本発明はこれに限定されるものではなく、前記のアナログモデムと同一構成のものを備えたセットトップボックスなどのユーザ端末装置と、ＩＳＤＮなどのデジタル回線に接続されたセンタ装置との間でデータ通信を行うものであっても良い。
【００２３】
【発明の効果】
このように本発明によれば、修正星座情報に基づいて設定された星座ポイントを用いて通信を行うことにより、ディジタルＰＡＤでの減衰処理の影響で別データが同一化してしまう不都合を避けることができ、デジタル回線網にディジタルＰＡＤが設けられている場合でも正確なデータ伝送が可能になる。
【図面の簡単な説明】
【図１】本発明によるアナログモデムの概略構成を示すブロック図
【図２】図１に示したテーブル作成部での星座テーブルの修正状況を示す図
【図３】図１に示した間隔決定部で用いられるＳＮ比とレベル間隔との対応テーブルを示す図
【図４】図１に示した星座選択部での星座ポイント選択の要領を示す図
【図５】図１に示したアナログモデムでの星座選択の処理手順を示すフロー図
【図６】図１に示したディジタルモデムからアナログモデムに送信される信号の減衰状況を示す図
【図７】本発明が適用される通信システムの概略構成を示すブロック図
【図８】ディジタルＰＡＤによる信号の減衰の状況を示す図
【符号の説明】
１　アナログモデム（本発明によるモデム装置）
２　ディジタルモデム（送信側装置）
３　ディジタル交換機
４　ディジタルＰＡＤ（減衰処理装置）
１１　ＤＰＡＤ検出部（減衰量判定手段）
１２　復調部
１３　テーブル作成部（星座情報生成手段）
１４　星座選択部（星座ポイント選択手段）
１５　星座通知部（通知手段）
１６　変調部
１７　ＳＮ測定部
１８　間隔決定部
【図１】
2004040533.tif 000003
【図２】
2004040533.tif 000004
【図３】
2004040533.tif 000005
【図４】
2004040533.tif 000006
【図５】
2004040533.tif 000007
【図６】
2004040533.tif 000008
【図７】
2004040533.tif 000009
【図８】
2004040533.tif 000010